(57)【要約】【課題】原稿の搬送速度が可変される場合であっても、ユーザーの所望する解像度の画像のデータを生成することができる画像読取装置を提供する。【解決手段】画像読取装置は、原稿を搬送する搬送装置２０と、搬送されている原稿の画像を読み取る読取部３１，３２とを備える。特定の設定情報が画像読取装置の制御装置６０に入力されていない場合に画像を読み取る動作を第１の読取モードとし、特定の設定情報が制御装置６０に入力されている場合に画像を読み取る動作を第２の読取モードとしたとする。この場合、第２の読取モードでは、第１の読取モードの場合よりも低速で搬送装置２０によって搬送される原稿から画像を読取部３１，３２に読み取らせつつも、第１の読取モードの場合と等しい解像度の画像の画像データが生成される。【選択図】図４
2019135872.tif 000002
【特許請求の範囲】
【請求項１】
原稿を搬送する搬送部と、
前記搬送部によって搬送される原稿の画像を読み取る読取部と、
前記読取部で読み取った画像のデータである画像データを生成する制御部と、を備えた画像読取装置において、
前記読取部は、前記搬送部によって原稿が搬送されている場合、所定のタイミング毎に当該原稿の画像を読み取るようになっており、
特定の設定情報が前記制御部に入力されていない場合に原稿から画像を読み取る動作を、第１の読取モードとし、前記特定の設定情報が前記制御部に入力されている場合に原稿から画像を読み取る動作を、第２の読取モードとした場合、
前記制御部は、
前記第１の読取モードでは、要求されている解像度に対応した速度で前記搬送部によって搬送される原稿から画像を前記読取部に読み取らせ、同読取部によって読み取られた画像の画像データを生成し、
前記第２の読取モードでは、前記第１の読取モードの場合よりも低速で前記搬送部によって搬送される原稿から画像を前記読取部に読み取らせつつも、前記タイミングを前記第１の読取モードの場合よりも遅らせることにより、前記第１の読取モードの場合と等しい解像度の画像の画像データを生成するようになっており、
前記制御部は、前記第２の読取モードを選択している状況下で、次のジョブに基づいた画像の読み取りを開始するときに、実施する読取モードを前記第２の読取モードから前記第１の読取モードに切り替える
ことを特徴とする画像読取装置。
【請求項２】
前記制御部は、
複数の原稿の画像を連続して読み取るに際し、前記各原稿のうち一の原稿を前記搬送部が搬送している最中に前記特定の設定情報が入力された場合、
当該一の原稿の次の原稿の画像の読み取りの開始時に、実施する読取モードを前記第１の読取モードから前記第２の読取モードに切り替える
ことを特徴とする請求項１に記載の画像読取装置。
【請求項３】
前記制御部は、前記第２の読取モードを選択している状況下で所定の終了条件が成立したときに、実施する読取モードを前記第２の読取モードから前記第１の読取モードに切り替える
ことを特徴とする請求項１又は請求項２に記載の画像読取装置。
【請求項４】
前記制御部は、前記第２の読取モードを選択している状況下で、同第２の読取モードを終了する旨の設定情報が入力されたとき、次回の画像の読み取り時に実施する読取モードを前記第２の読取モードから前記第１の読取モードに切り替える
ことを特徴とする請求項１又は請求項２に記載の画像読取装置。
【発明の詳細な説明】
【技術分野】
【０００１】
本発明は、搬送部によって搬送されている原稿の画像を読み取る読取部を備える画像読取装置に関する。
【背景技術】
【０００２】
特許文献１には、セット部にセットされた原稿を所定の読み取り位置まで搬送し、同読み取り位置まで搬送された原稿の画像を読取部によって読み取る画像読取装置の一例が記載されている。
【０００３】
ところで、カラー原稿を搬送する際には、モノクロ原稿を搬送する際よりも紙ジャムなどの搬送不良が発生しやすい。そこで、特許文献１に記載の画像読取装置では、カラー原稿の画像の読み取り時には、モノクロ原稿の画像の読み取り時よりも原稿を低速で搬送するようにしている。具体的には、画像読取装置の制御装置では、ユーザー操作に基づいた情報が入力されると、カラー原稿の画像の読み取りか、モノクロ原稿の画像の読み取りかが判断される。そして、モノクロ原稿の画像の読み取り時には通常の搬送モードが選択され、カラー原稿の画像の読み取り時には、上記通常の搬送モードよりも低速搬送用の搬送モードが選択される。このようにして選択された搬送モードで搬送部を作動させるようになっている。
【先行技術文献】
【特許文献】
【０００４】
【特許文献１】特開２００３−１２８２９８号公報
【発明の概要】
【発明が解決しようとする課題】
【０００５】
ところで、画像読取装置にあっては、厚みの異なる様々な原稿の画像を読み取ることがある。厚みが薄い原稿を搬送する際には、厚みが厚い原稿を搬送する際よりも紙ジャムなどの搬送不良が発生しやすい。そこで、厚みが薄い原稿の画像の読み取り時には、厚みが厚い原稿の画像の読み取り時よりも原稿を低速で搬送することが望ましい。
【０００６】
しかしながら、搬送部によって搬送されている原稿の画像を読取部に読み取らせる画像読取装置では、一般的に、原稿の搬送速度と、取得される画像の解像度とに相関がある。具体的には、原稿の搬送速度が小さい場合ほど、解像度の高い画像のデータである画像データが生成される。そのため、原稿の厚みに応じて原稿の搬送速度を変更する場合、生成される画像データは、ユーザーの所望する解像度の画像のデータとは限らない。
【０００７】
本発明の目的は、原稿の搬送速度が可変される場合であっても、ユーザーの所望する解像度の画像のデータを生成することができる画像読取装置を提供することにある。
【課題を解決するための手段】
【０００８】
上記目的を達成するための画像読取装置は、原稿を搬送する搬送部と、前記搬送部によって搬送される原稿の画像を読み取る読取部と、前記読取部で読み取った画像のデータである画像データを生成する制御部と、を備えた画像読取装置において、前記読取部は、前記搬送部によって原稿が搬送されている場合、所定のタイミング毎に当該原稿の画像を読み取るようになっており、特定の設定情報が前記制御部に入力されていない場合に原稿から画像を読み取る動作を、第１の読取モードとし、前記特定の設定情報が前記制御部に入力されている場合に原稿から画像を読み取る動作を、第２の読取モードとした場合、前記制御部は、前記第１の読取モードでは、要求されている解像度に対応した速度で前記搬送部によって搬送される原稿から画像を前記読取部に読み取らせ、同読取部によって読み取られた画像の画像データを生成し、前記第２の読取モードでは、前記第１の読取モードの場合よりも低速で前記搬送部によって搬送される原稿から画像を前記読取部に読み取らせつつも、前記タイミングを前記第１の読取モードの場合よりも遅らせることにより、前記第１の読取モードの場合と等しい解像度の画像の画像データを生成するようになっており、前記制御部は、前記第２の読取モードを選択している状況下で、次のジョブに基づいた画像の読み取りを開始するときに、実施する読取モードを前記第２の読取モードから前記第１の読取モードに切り替える。
【０００９】
上記構成によれば、上記特定の設定情報が制御部に入力されていない状況下で画像の読み取りが指示されると、第１の読取モードが実施される。すなわち、原稿の厚みが薄くないとユーザーが認識している場合、上記特定の設定情報が制御部に入力されるようなユーザー操作が行われることなく、画像の読み取りがユーザーによって画像読取装置に指示される。この際、生成される画像データに基づいた画像の解像度は、読み取りの指示をユーザーが入力するときに、同ユーザーによって選択することができる。そのため、ユーザーが要求している解像度と相関する搬送速度で原稿が搬送され、ユーザーが要求している解像度の画像のデータが生成される。したがって、ユーザーの所望する解像度の画像のデータをユーザーに提供することができる。
【００１０】
その一方で、上記特定の設定情報が制御部に入力されている状況下で画像の読み取りが指示されると、第２の読取モードが実施される。すなわち、原稿の厚みが薄いとユーザーが認識している場合、上記特定の設定情報が制御部に入力されるようなユーザー操作が行われた上で、画像の読み取りがユーザーによって画像読取装置に指示される。この際、第１の読取モードの場合よりも原稿が低速で搬送されるようになるものの、第１の読取モードの場合と等しい解像度の画像の画像データが生成される。すなわち、紙ジャムなどの搬送不良を抑えつつ、原稿の搬送速度に依存しない画像データを、ユーザーに提供することができる。したがって、原稿の搬送速度が可変される場合であっても、ユーザーの所望する解像度の画像のデータを生成することができるようになる。
【００１１】
上記画像読取装置において、前記制御部は、複数の原稿の画像を連続して読み取るに際し、前記各原稿のうち一の原稿を前記搬送部が搬送している最中に前記特定の設定情報が入力された場合、当該一の原稿の次の原稿の画像の読み取りの開始時に、実施する読取モードを前記第１の読取モードから前記第２の読取モードに切り替えることが好ましい。
【００１２】
上記構成によれば、複数の原稿の画像を連続して読み取るに際し、各原稿のうち一の原稿が搬送されている最中に上記特定の設定情報が制御部に入力された場合、一の原稿の画像の読み取りが完了するまでは、第１の読取モードが継続される。すなわち、一の原稿の搬送途中では、読取モードが変更されず、同原稿の搬送速度が変更されることはない。そのため、画像の読取途中での読取モードの切り替わりに起因する制御負荷の増大を抑制することができる。
【００１３】
その後、次の原稿の画像の読み取りを行うときには、第１の読取モードではなく、第２の読取モードが実施される。すなわち、一の原稿以降の原稿の画像の読み取り時には、低速で原稿が搬送されるようになる。しかも、第２の読取モードであるため、低速で原稿が搬送されても、第１の読取モードの場合と等しい解像度の画像のデータである画像データが生成される。したがって、上記一の原稿以降の原稿の画像の読み取り時にあっては、原稿を低速で搬送することによって同原稿の搬送不良の発生を抑えつつも、搬送速度に依存しない画像データをユーザーに提供することが可能となる。
【００１４】
また、上記目的を達成するための画像読取装置は、原稿を搬送する搬送部と、前記搬送部によって搬送される原稿の画像を読み取る読取部と、前記読取部で読み取った画像のデータである画像データを生成する制御部と、を備えた画像読取装置において、前記搬送部によって搬送されている原稿の厚みが薄くない場合に同原稿から画像を読み取る動作を、第１の読取モードとし、前記搬送部によって搬送されている原稿の厚みが薄い場合に同原稿から画像を読み取る動作を、第２の読取モードとした場合、前記制御部は、前記第１の読取モードでは、要求されている解像度に対応した速度で前記搬送部によって搬送される原稿から画像を前記読取部に読み取らせ、同読取部によって読み取られた画像の画像データを生成し、前記第２の読取モードでは、前記第１の読取モードの場合よりも低速で前記搬送部によって搬送される原稿から画像を前記読取部に読み取らせつつも、前記第１の読取モードの場合と等しい解像度の画像の画像データを生成する。なお、「原稿の厚みが薄くない場合」とは、原稿の厚みが規定の厚みよりも薄くない場合のことであり、「原稿の厚みが薄い場合」とは、原稿の厚みが規定の厚みよりも薄い場合のことである。
【００１５】
上記構成によれば、搬送部によって搬送されている原稿の厚みが薄くないときには、第１の読取モードが実施される。なお、原稿の画像の読み取りをユーザーが画像読取装置に指示するに際し、生成される画像データに基づいた画像の解像度はユーザーによって選択することができる。そのため、ユーザーの所望する解像度の画像のデータをユーザーに提供することができる。
【００１６】
その一方で、搬送部によって搬送されている原稿の厚みが薄いときには、第２の読取モードが実施される。この場合、第１の読取モードの場合よりも原稿が低速で搬送されるようになるものの、第１の読取モードの場合と等しい解像度の画像のデータが生成される。すなわち、紙ジャムなどの搬送不良を抑えつつ、原稿の搬送速度に依存しない画像データを、ユーザーに提供することができる。したがって、原稿の搬送速度が可変される場合であっても、ユーザーの所望する解像度の画像のデータを生成することができるようになる。
【００１７】
上記画像読取装置は、前記搬送部によって搬送されている原稿に対して音波を出力し、同音波の減衰率を検出する音波センサーを備え、前記制御部は、前記搬送部によって原稿が搬送されている状況下で前記音波センサーによって検出される音波の減衰率が判定減衰率未満であるときには、前記搬送部によって搬送されている原稿の厚みが薄いと判定し、前記第２の読取モードを実施することが好ましい。
【００１８】
原稿の厚みが薄いほど、音波センサーによって検出される音波の減衰率が小さくなりやすい。そこで、上記構成では、音波センサーによって検出される音波の減衰率が判定減衰率未満であるときには、搬送している原稿の厚みが薄いと判断することができるため、第２の読取モードを実施するようにしている。このように音波センサーによる検出結果を用いることにより、第２の読取モードを自動的に選択して実施することができる。
【００１９】
上記画像読取装置において、前記音波センサーは、複数の原稿が重なった状態で搬送されているか否かを検出するセンサーであり、複数の原稿が重なった状態で搬送されているか否かを判定するための閾値として、前記判定減衰率よりも大きい重送検出減衰率を設け、前記制御部は、前記搬送部によって原稿が搬送されている状況下で前記音波センサーによって検出される音波の減衰率が前記判定減衰率以上であって且つ前記重送検出減衰率未満であるときには、前記第１の読取モードを実施し、前記搬送部によって原稿が搬送されている状況下で前記音波センサーによって検出される音波の減衰率が前記重送検出減衰率以上であるときには、前記搬送部による原稿の搬送及び前記読取部による画像の読み取りを中止させることが好ましい。
【００２０】
複数の原稿が重なった状態で搬送される場合、１つの原稿のみを搬送している場合よりも音波センサーによって検出される音波の減衰率が大きくなりやすい。そして、厚みが薄い原稿が２つ重なっている場合における音波の減衰率は、厚みが薄くない原稿を１つ搬送している場合における音波の減衰率よりも大きくなる。そこで、上記構成によれば、複数の原稿が重なった状態で搬送されているか否かを判定するための閾値である重送検出減衰率を、判定減衰率よりも大きい値に決定した。そして、この重送検出減衰率を用いることにより、厚みが薄くない１つの原稿を搬送しているか、又は、複数の原稿が重なった状態で搬送されているかを判別することができる。そして、こうした判別結果を採用することにより、状況に応じて適切に画像読取装置を駆動させることが可能となる。
【００２１】
上記画像読取装置において、前記搬送部は、前記読取部よりも原稿の搬送方向上流側に位置する搬送ローラー対と、前記搬送ローラー対よりも原稿の搬送方向上流側に配置され、原稿を前記搬送ローラー対に向けて送り出す送り出しローラーと、を有しており、前記音波センサーは、前記原稿の搬送方向における前記送り出しローラーと前記搬送ローラー対との間に配置されていることが好ましい。
【００２２】
上記構成によれば、読取部よりも搬送方向上流側で、搬送されている原稿の厚みが薄いか否かを判断することが可能となる。
上記画像読取装置において、前記制御部は、前記第２の読取モードを選択している状況下で所定の終了条件が成立したときに、実施する読取モードを前記第２の読取モードから前記第１の読取モードに切り替えることが好ましい。
【００２３】
上記構成によれば、第２の読取モードの実施が不要となった場合には、モードを第２の読取モードから第１の読取モードに切り替えることができる。
上記画像読取装置において、前記制御部は、前記第２の読取モードを選択している状況下で、同第２の読取モードを終了する旨の設定情報が入力されたとき、次回の画像の読み取り時に実施する読取モードを前記第２の読取モードから前記第１の読取モードに切り替えることが好ましい。
【００２４】
上記構成によれば、第２の読取モードの実施を不要とする旨の設定情報が入力されると、次の画像の読み取り時に、第１の読取モードを実施させることができる。
上記画像読取装置において、前記制御部は、前記第２の読取モードを選択している状況下で、次のジョブに基づいた画像の読み取りを開始するときに、実施する読取モードを前記第２の読取モードから前記第１の読取モードに切り替えることが好ましい。
【００２５】
上記構成によれば、次のジョブに基づいた画像の読み取り時には、自動的に、第１の読取モードを実施させることができる。
【図面の簡単な説明】
【００２６】
【図１】画像読取装置の第１の実施形態の概略構成を示す斜視図。
【図２】同画像読取装置の搬送装置及びその周辺部材を示す側面図。
【図３】複数の第１の読取モードを説明するためのテーブル。
【図４】同画像読取装置の機能構成を説明するブロック図。
【図５】同画像読取装置で画像の読み取りを行う際の処理手順を説明するフローチャート。
【図６】第２の実施形態の画像読取装置で画像の読み取りを行う際の処理手順を説明するフローチャート。
【図７】第３の実施形態の画像読取装置の機能構成を説明するブロック図。
【図８】同画像読取装置で画像の読み取りを行う際の処理手順を説明するフローチャート。
【発明を実施するための形態】
【００２７】
（第１の実施形態）
以下、画像読取装置を具体化した第１の実施形態を図１〜図５に従って説明する。
図１に示すように、本実施形態の画像読取装置１１は、筐体１２と、筐体１２に回動可能に支持されているカバー部材１３とを備えている。このカバー部材１３には、本装置のユーザーインターフェース５０が設けられている。すなわち、ユーザーインターフェース５０は、複数のボタン５１と、複数のランプ５２とを有している。
【００２８】
各ボタン５１のうち１つのボタンは、後述する第２の読取モードでの画像の読み取りの実施を指示する際に操作される特定用ボタン５１Ａである。また、各ランプ５２のうち１つのランプは、特定用ボタン５１Ａがオン状態であるときに点灯される特定用ランプ５２Ａである。なお、特定用ランプ５２Ａは、特定用ボタン５１Ａがオフ状態であるときには消灯されている。
【００２９】
また、図２に示すように、画像読取装置１１には、画像の読み取りが未だ行われていない原稿ＭＳがセットされるセット部１４が設けられている。このセット部１４に複数の原稿ＭＳがセットされる場合、セット部１４上で各原稿ＭＳが積層されることとなる。また、筐体１２の内部には、原稿ＭＳを搬送する搬送部としての搬送装置２０と、搬送装置２０によって搬送されている原稿ＭＳの画像を読み取る読取装置３０とが設けられている。そして、セット部１４にセットされている原稿ＭＳが１つずつ筐体１２内に進入し、所定の搬送経路に沿って搬送される。そして、搬送されつつ原稿ＭＳの画像が読み取られ、画像の読み取りが完了した原稿ＭＳが筐体１２外に排出される。
【００３０】
図２に示すように、搬送装置２０は、原稿ＭＳの搬送方向における上流から下流に向けて順に配置される、送り込みローラー２１、送り出しローラー対２２、搬送ローラー対２３、排出ローラー対２４を備えている。また、搬送装置２０は、原稿ＭＳを搬送するための駆動源として、送出モーター２５と、搬送モーター２６とを備えている。送出モーター２５からの駆動力は送り込みローラー２１に伝達され、搬送モーター２６からの駆動力は送り出しローラー対２２、搬送ローラー対２３及び排出ローラー対２４に伝達される。
【００３１】
送り込みローラー２１は、セット部１４にセットされている複数の原稿ＭＳのうち最下位の原稿ＭＳを筐体１２の内部に送り込む。また、送り込みローラー２１よりも上方に、ガイド部材２７が配置されている。このガイド部材２７によって、最下位の原稿ＭＳ以外の原稿の筐体１２内への進入が制限されている。
【００３２】
送り出しローラー対２２は、搬送モーター２６に駆動連結されている駆動ローラー２２１と、駆動ローラー２２１を通じて搬送モーター２６からの駆動力が伝達される従動ローラー２２２とを有している。そして、駆動ローラー２２１及び従動ローラー２２２が回転することにより、両ローラー２２１，２２２によって原稿ＭＳが挟持され、原稿ＭＳが搬送ローラー対２３に向けて送り出される。
【００３３】
送り出しローラー対２２の従動ローラー２２２は、トルクリミッターなどのトルク制限機構によって一定の回転負荷が付与されているリタードローラーである。そのため、複数の原稿ＭＳが重なった状態でセット部１４から筐体１２内に送り込まれた場合、この送り出しローラー対２２によって、１つの原稿ＭＳのみが搬送方向下流に送り出されるようになっている。この点で、送り出しローラー対２２を構成する２つのローラー２２１，２２２が、原稿ＭＳを搬送ローラー対２３に向けて送り出す「送り出しローラー」として機能する。
【００３４】
搬送ローラー対２３は、読取装置３０よりも図中右側である搬送方向上流に配置されている。こうした搬送ローラー対２３は、搬送モーター２６に駆動連結されている駆動ローラー２３１と、駆動ローラー２３１を通じて搬送モーター２６からの駆動力が伝達される従動ローラー２３２とを有している。そして、駆動ローラー２３１及び従動ローラー２３２が回転することにより、両ローラー２３１，２３２によって原稿ＭＳが挟持され、原稿ＭＳが読取装置３０に向けて搬送される。
【００３５】
排出ローラー対２４は、読取装置３０よりも図中左側である搬送方向下流に配置されている。こうした排出ローラー対２４は、搬送モーター２６に駆動連結されている駆動ローラー２４１と、駆動ローラー２４１を通じて搬送モーター２６からの駆動力が伝達される従動ローラー２４２とを有している。そして、駆動ローラー２４１及び従動ローラー２４２が回転することにより、両ローラー２４１，２４２によって原稿ＭＳが挟持され、原稿ＭＳが筐体１２外に排出される。
【００３６】
読取装置３０は、搬送経路に沿って搬送される原稿ＭＳを挟んだ上下両側に配置される２つの読取部３１，３２を有している。各読取部３１，３２のうち、下側に位置する読取部が第１の読取部３１であり、上側に位置する読取部が第２の読取部３２である。すなわち、第１の読取部３１が原稿ＭＳの一面（図中下面）の画像を読み取り、第２の読取部３２が原稿ＭＳの他面（図中上面）の画像を読み取る。なお、読取部としては、例えば、密着型イメージセンサーモジュール（ＣＩＳＭ：Contact Image Sensor Module）を挙げることができる。もちろん、ＣＩＳＭ以外の他のモジュールを読取部として採用してもよい。
【００３７】
なお、図２に示すように、原稿ＭＳの搬送方向における読取装置３０と搬送ローラー対２３との間には、原稿ＭＳの端部を検出する端部検出センサー６００が設けられている。
また、原稿ＭＳの搬送方向における送り出しローラー対２２と搬送ローラー対２３との間には、複数の原稿ＭＳが重なった状態で搬送されていることを検出するための重送検出センサー６１０が設けられている。この重送検出センサー６１０は、音波センサーであり、音波を出力する出力部６１１と、出力部６１１から出力された音波が入力される入力部６１２とを有している。そして、搬送経路に沿って搬送される原稿ＭＳよりも図中上方に、出力部６１１及び入力部６１２の一方が配置され、搬送経路に沿って搬送される原稿ＭＳよりも図中下方に、出力部６１１及び入力部６１２の他方が配置されている。図２に示す例では、図中上方に入力部６１２が配置され、図中下方に出力部６１１が配置されている。
【００３８】
そして、重送検出センサー６１０は、音波の減衰率αを検出する。出力部６１１から出力された音波の出力値を「Ｘ１」とし、入力部６１２に入力された音波の入力値を「Ｘ２」とした場合、減衰率αは、以下に示す関係式（式１）を用いて算出することができる値である。
【００３９】
α  ＝  （Ｘ１−Ｘ２）／Ｘ１  ・・・（式１）
ところで、本実施形態の画像読取装置１１では、同装置から出力される画像データに基づいた画像の解像度を、ユーザーによって選択することができる。すなわち、ユーザーによるユーザーインターフェース５０の操作、又は画像読取装置１１と通信している外部装置のユーザーによる操作によって、画像の読取モードの一例である第１の読取モードが選択可能となっている。
【００４０】
また、搬送されている原稿ＭＳの画像を読取部３１，３２によって読み取らせる画像読取装置１１にあっては、原稿ＭＳの搬送速度が小さいほど、解像度の高い画像のデータである画像データが生成される。そのため、解像度の高い画像のデータをユーザーに提供するための第１の読取モードは、ユーザーの要求している解像度と相関する速度で原稿ＭＳを搬送するモードであるともいうことができる。
【００４１】
図３には、複数（ここでは３つ）の第１の読取モードを示すテーブルの一例が図示されている。図３に示すように、第１のモードは、原稿ＭＳの搬送速度が大きく、解像度の低い画像のデータを生成する読取モードである。第２のモードは、原稿ＭＳの搬送速度が中程度であり、中程度の解像度の画像のデータを生成する読取モードである。第３のモードは、原稿ＭＳの搬送速度が小さく、解像度の高い画像のデータを生成する読取モードである。
【００４２】
そして、ユーザーは、画像の読み取りを画像読取装置１１に指示するに際し、上記３つのモードの中から１つの読取モード（すなわち、第１の読取モード）を選択することができる。
【００４３】
ここで、本実施形態の画像読取装置１１では、厚みの異なる様々な原稿ＭＳの画像の読み取りを実施可能となっている。そして、原稿ＭＳの厚みが薄いほど、搬送中に紙ジャムなどの搬送不良が発生しやすい。こうした搬送不良の発生を抑制するためには、原稿ＭＳを低速で搬送することが望ましい。
【００４４】
そこで、上述したように、ユーザーインターフェース５０には、特定用ボタン５１Ａが設けられている。この特定用ボタン５１Ａは、例えば厚みの薄い原稿ＭＳのように、搬送途中で搬送不良が発生しやすい原稿ＭＳの画像の読み取り時に、オン状態にされるボタンである。そして、ユーザーの操作によって特定用ボタン５１Ａがオン状態にされると、特定のユーザー操作に関する情報である特定の設定情報が画像読取装置１１の制御部としての制御装置６０（図４参照）に入力され、第１の読取モードとは異なる第２の読取モードが実施される。なお、ここでいう「特定のユーザー操作」とは、特定用ボタン５１Ａをオン状態にするためのユーザーによるボタン操作である。
【００４５】
すなわち、特定の設定情報が制御装置６０に入力されていない場合に原稿ＭＳから画像を読み取る動作が、第１の読取モードとされる。また、特定の設定情報が制御装置６０に入力されている場合に原稿ＭＳから画像を読み取る動作が、第２の読取モードとされる。
【００４６】
第２の読取モードは、第１の読取モードの場合よりも原稿ＭＳを低速で搬送しつつも、第１の読取モードの場合と等しい解像度の画像のデータを生成するためのモードである。例えば、上記第１のモードの実施をユーザーが選択している状況下、すなわちユーザーの要求している解像度が低い状況下で、特定用ボタン５１Ａがオン状態にされた場合、以下に示す第２の読取モードが実施される。・第１のモードを実施するときよりも原稿ＭＳを低速で搬送する。例えば、第３のモードの場合の原稿ＭＳの搬送速度、又は同搬送速度に準じた速度で搬送する。・第１のモードの場合と等しい解像度の画像のデータを生成する。
【００４７】
また、上記第３のモードの実施をユーザーが選択している状況下、すなわちユーザーの要求している解像度が高い状況下で、特定用ボタン５１Ａがオン状態にされた場合、以下に示す第２の読取モードが実施される。・第３のモードを実施するときよりも原稿ＭＳを低速で搬送する。・第３のモードの場合と等しい解像度の画像のデータを生成する。
【００４８】
このような第２の読取モードが実施されることにより、原稿ＭＳが低速で搬送されるため、厚みの薄い原稿ＭＳの画像の読み取り時であっても同原稿ＭＳの搬送不良の発生が抑制される。しかも、このように原稿ＭＳが低速で搬送されても、生成される画像データに基づいた画像の解像度は、ユーザーの要求している解像度、すなわちユーザーによって選択された第１の読取モードの場合と等しい解像度となる。
【００４９】
次に、図４を参照し、画像読取装置１１の制御装置６０について説明する。
制御装置６０は、ＣＰＵ、ＲＯＭ及びＲＡＭなどで構成されるマイクロコンピューターと、各種のドライバー回路とを備えている。こうした制御装置６０は、図４に示すように、ソフトウェア及びハードウェアのうち少なくとも一方で構成される機能部として、搬送制御部６１、モード選択部６６、データ生成部６４及びデータ出力部６５を含んでいる。
【００５０】
搬送制御部６１は、搬送装置２０を制御する。すなわち、原稿ＭＳの搬送開始指示、すなわち原稿ＭＳの画像の読み取り指示が入力された場合、搬送制御部６１は、送出モーター２５を駆動させることにより、送り込みローラー２１を回転させる。これにより、セット部１４から１つの原稿ＭＳが筐体１２内に送り込まれる。そして、搬送制御部６１は、送り込みローラー２１の回転によって搬送される原稿ＭＳが、送り出しローラー対２２を構成する２つのローラー２２１，２２２によって挟持されるようになると、送出モーター２５の駆動を停止させる。
【００５１】
また、搬送制御部６１は、搬送モーター２６を駆動させることにより、送り出しローラー対２２、搬送ローラー対２３及び排出ローラー対２４の各ローラー２２１，２３１，２４１，２２２，２３２，２４２を回転させる。なお、搬送モーター２６の駆動開始のタイミングは、送出モーター２５の駆動開始のタイミングと同じであってもよいし、送出モーター２５の駆動開始のタイミングよりも後であってもよい。そして、搬送制御部６１は、原稿ＭＳの後端が排出ローラー対２４を通過したタイミング以降で搬送モーター２６の駆動を停止させる。
【００５２】
なお、この搬送制御部６１には、原稿ＭＳの搬送速度に関する情報がモード選択部６６から入力される。そして、搬送制御部６１は、入力された情報に基づいた速度で原稿ＭＳを搬送するように搬送モーター２６の駆動を制御する。
【００５３】
モード選択部６６は、画像の読み取りを実施するに際して入力されたユーザー情報に基づき、実施する読取モードを決定する。すなわち、モード選択部６６は、ユーザーインターフェース５０又は外部装置から、画像の解像度を特定するための情報が入力されると、ユーザーの要求している画像の解像度に応じた第１の読取モードを選択する（図３参照）。例えば、高解像度の画像をユーザーが要求している場合、モード選択部６６は、第３のモードを選択する。そして、モード選択部６６は、選択した読取モードに関する情報を搬送制御部６１及びデータ生成部６４に出力する。また、モード選択部６６は、特定用ボタン５１Ａがオン状態である場合、第２の読取モードを選択し、同読取モードに関する情報を搬送制御部６１及びデータ生成部６４に出力する。
【００５４】
データ生成部６４は、読取装置３０の各読取部３１，３２を制御するとともに、各読取部３１，３２が読み取った画像を取得する。そして、データ生成部６４は、読取部３１，３２が読み取った画像のデータである画像データを生成し、この画像データをデータ出力部６５に出力する。
【００５５】
この際に生成される画像データに基づく画像の解像度は、モード選択部６６から入力された解像度に関する情報に応じた解像度である。すなわち、特定用ボタン５１Ａがオフ状態である場合、データ生成部６４は、原稿ＭＳの搬送速度に応じた解像度の画像のデータを生成する。一方、特定用ボタン５１Ａがオン状態である場合、データ生成部６４は、原稿ＭＳの搬送速度が小さくても、ユーザーの要求している解像度の画像のデータを生成する。
【００５６】
ここで、原稿ＭＳからの画像の取得は、原稿ＭＳが搬送されているときに所定のタイミング毎に画像の読み取りを読取部３１，３２に行わせることで実現される。そのため、読取部３１，３２によって取得される画像の解像度は、原稿ＭＳの搬送速度が小さいほど高くなる。そのため、第２の読取モードの実施時に取得された画像の解像度は、ユーザーが所望している解像度よりも高いおそれがある。そこで、データ生成部６４は、第２の読取モードでは、取得した画像の解像度を、ユーザーの所望している解像度まで低くし、同解像度の画像のデータを生成する。
【００５７】
また、第２の読取モードの実施時には、データ生成部６４は、解像度の低い画像（すなわち、第１の読取モードを実施したと仮定した場合の解像度の画像）を取得できるように、読取部３１，３２を制御するようにしてもよい。例えば、上記の所定のタイミングを遅らせることにより、原稿ＭＳの搬送速度に準じた解像度よりも低い解像度の画像の取得を実現することができる。この場合、データ生成部６４は、原稿ＭＳの搬送速度が小さくても、ユーザーの要求している解像度の画像のデータを生成することができる。すなわち、取得した画像の解像度を低くする処理の実施が不要となる。
【００５８】
データ出力部６５は、データ生成部６４で生成された画像データを外部装置に送信する。
次に、図５に示すフローチャートを参照し、原稿ＭＳの画像の読み取りを行う際の処理手順について説明する。
【００５９】
図５に示すように、第１のモード、第２のモード及び第３のモードの何れか１つのモードが選択されている状況下で、特定用ボタン５１Ａがオン状態であるか否かが判定される（ステップＳ１１）。特定用ボタン５１Ａがオフ状態である場合（ステップＳ１１：ＮＯ）、第１の読取モードが選択され（ステップＳ１２）、その処理が後述するステップＳ１４に移行される。一方、特定用ボタン５１Ａがオン状態である場合（ステップＳ１１：ＹＥＳ）、第２の読取モードが選択され（ステップＳ１３）、特定用ランプ５２Ａが点灯され、その処理が次のステップＳ１４に移行される。
【００６０】
ステップＳ１４において、選択した読取モードの実施を開始することにより、画像の読み取りが開始される。例えば、特定用ボタン５１Ａがオフ状態であり、第２のモードが選択されている場合、搬送装置２０によって原稿ＭＳが中速度で搬送され、中程度の解像度の画像のデータが生成される。また、特定用ボタン５１Ａがオン状態であり、第２のモードが選択されている場合、搬送装置２０によって原稿ＭＳが低速で搬送され、中程度の解像度の画像の画像データが生成される。
【００６１】
そして、このように画像の読み取りが行われている最中で、重送検出センサー６１０によって検出された減衰率αが重送検出減衰率αＴｈ１以上であるか否かが判定される（ステップＳ１５）。重送検出減衰率αＴｈ１は、複数の原稿ＭＳが重なった状態で搬送されているか否かを判定するための閾値である。例えば、普通の厚さの原稿ＭＳが１つのみ搬送されており、この原稿ＭＳが重送検出センサー６１０の出力部６１１と入力部６１２との間に位置する場合における減衰率αを「標準減衰率」としたとする。この場合、重送検出減衰率αＴｈ１は、標準減衰率よりも大きい値に設定されている。
【００６２】
そして、減衰率αが重送検出減衰率αＴｈ１以上である場合（ステップＳ１５：ＹＥＳ）、複数の原稿ＭＳが重なった状態で搬送されていると判定することができるため、画像の読み取りが中止される（ステップＳ１６）。この場合、原稿ＭＳの搬送が中止され、ユーザーインターフェース５０によってエラーがユーザーに対して報知される。その後、本処理が終了される。
【００６３】
一方、減衰率αが重送検出減衰率αＴｈ１未満である場合（ステップＳ１５：ＮＯ）、１つの原稿ＭＳのみが搬送されていると判定することができるため、画像の読み取りが継続される。そして、画像の読み取りが完了したか否かが判定される（ステップＳ１７）。
【００６４】
なお、読取部３１，３２による読み取り結果に基づいて原稿ＭＳの後端を検出することができる。すなわち、読取部３１，３２による読み取り結果に基づき、原稿ＭＳの後端が読取部３１，３２よりも搬送方向下流に位置するようになったか否かを判定することができる。そして、原稿ＭＳの後端が読取部３１，３２よりも搬送方向下流に位置するようになったときに、原稿ＭＳの画像の読み取りが完了したと判定することができる。
【００６５】
原稿ＭＳの画像の読み取りが未だ完了していない場合（ステップＳ１７：ＮＯ）、その処理が前述したステップＳ１５に移行され、画像の読み取りが継続される。一方、原稿ＭＳの画像の読み取りが完了した場合（ステップＳ１７：ＹＥＳ）、その処理が次のステップＳ１８に移行される。
【００６６】
ステップＳ１８において、画像の読み取りを行うべき次の原稿ＭＳがあるか否かが判定される。次の原稿ＭＳがある場合（ステップＳ１８：ＹＥＳ）、その処理が前述したステップＳ１４に移行され、次の原稿ＭＳの搬送が開始される。この場合、次の原稿ＭＳの搬送速度は前の原稿ＭＳの搬送速度と等しい。一方、次の原稿ＭＳがない場合（ステップＳ１８：ＮＯ）、データ生成部６４によって生成された画像データがデータ出力部６５によって出力され（ステップＳ１９）、本処理が終了される。
【００６７】
なお、複数の原稿ＭＳの画像を連続して読み取るに際し、一連の画像の連続読み取りの最中に特定用ボタン５１Ａがユーザーによって操作されることがある。本実施形態の画像読取装置１１では、こうしたユーザーによる特定用ボタン５１Ａの操作が無効とされる。すなわち、画像の連続読み取りの最中に特定用ボタン５１Ａが操作されても、一の原稿の搬送速度と、該一の原稿の次の原稿の搬送速度とは等しくされる。言い換えると、一連の画像の連続読み取りの実施が開始される前まで、すなわち図５を用いて説明する処理が開始される前までの特定用ボタン５１Ａの操作は有効とされる。
【００６８】
以上、本実施形態の画像読取装置１１によれば、以下のような効果を得ることができる。
（１）特定用ボタン５１Ａがオフ状態である状況下で画像の読み取りが指示されると、第１の読取モードが実施される。すなわち、セット部１４にセットした原稿ＭＳの厚みが薄くないとユーザーが認識している場合、特定用ボタン５１Ａがオン状態にされることなく、画像の読み取りがユーザーによって画像読取装置１１に指示される。この際、生成される画像データに基づいた画像の解像度は、読み取りの指示をユーザーが入力するときに、同ユーザーによって選択することができる。そのため、ユーザーが要求している画像の解像度に対応する搬送速度で原稿ＭＳが搬送され、ユーザーが要求している解像度の画像のデータが生成される。したがって、ユーザーの所望する解像度の画像のデータをユーザーに提供することができる。
【００６９】
その一方で、特定用ボタン５１Ａがオン状態である状況下で画像の読み取りが指示されると、第２の読取モードが実施される。すなわち、セット部１４にセットした原稿ＭＳの厚みが薄いとユーザーが認識している場合、特定用ボタン５１Ａがオン状態にされた上で、画像の読み取りがユーザーによって画像読取装置１１に指示される。この際、第１の読取モードの場合よりも原稿ＭＳが低速で搬送されるようになるものの、第１の読取モードの場合と等しい解像度の画像のデータが生成される。すなわち、紙ジャムなどの搬送不良を抑えつつ、原稿ＭＳの搬送速度に依存しない画像データをユーザーに提供することができる。したがって、原稿ＭＳの搬送速度が可変される場合であっても、ユーザーの所望する解像度の画像のデータを生成することができる。
【００７０】
（第２の実施形態）
次に、画像読取装置１１を具体化した第２の実施形態を図６に従って説明する。なお、第２の実施形態では、特定用ボタン５１Ａがオン状態であるときの処理手順の一部が第１の実施形態と異なっている。したがって、以下の説明においては、第１の実施形態と相違する部分について主に説明するものとし、第１の実施形態と同一の部材構成には同一符号を付して重複説明を省略するものとする。
【００７１】
図６には、原稿ＭＳの画像の読み取りを行う際の処理手順を説明するフローチャートが図示されている。
図６に示すように、第１のモード、第２のモード及び第３のモードの何れか１つのモードが選択されている状況下で、特定用ボタン５１Ａがオン状態であるか否かが判定される（ステップＳ１１）。特定用ボタン５１Ａがオフ状態である場合（ステップＳ１１：ＮＯ）、第１の読取モードが選択され（ステップＳ１２）、その処理が後述するステップＳ１４に移行される。一方、特定用ボタン５１Ａがオン状態である場合（ステップＳ１１：ＹＥＳ）、第２の読取モードが選択され（ステップＳ１３）、その処理が次のステップＳ１４に移行される。
【００７２】
ステップＳ１４において、選択した読取モードの実施を開始することにより、画像の読み取りが開始される。そして、このように画像の読み取りが行われている最中で、重送検出センサー６１０によって検出された減衰率αが重送検出減衰率αＴｈ１以上になった場合（ステップＳ１５：ＹＥＳ）、複数の原稿ＭＳが重なった状態で搬送されていると判定することができるため、画像の読み取りが中止される（ステップＳ１６）。この場合、原稿ＭＳの搬送が中止され、ユーザーインターフェース５０によってエラーがユーザーに対して報知される。例えば、特定用ランプ５２Ａが点灯される。その後、本処理が終了される。
【００７３】
一方、減衰率αが重送検出減衰率αＴｈ１未満である場合（ステップＳ１５：ＮＯ）、１つの原稿ＭＳのみが搬送されていると判定することができるため、画像の読み取りが継続される。そして、原稿ＭＳの画像の読み取りが未だ完了していない場合（ステップＳ１７：ＮＯ）、その処理が前述したステップＳ１５に移行され、原稿ＭＳの画像の読み取りが継続される。一方、原稿ＭＳの画像の読み取りが既に完了している場合（ステップＳ１７：ＹＥＳ）、その処理が次のステップＳ１８に移行される。
【００７４】
ステップＳ１８において、画像の読み取りを行うべき次の原稿ＭＳがあるか否かが判定される。次の原稿ＭＳがない場合（ステップＳ１８：ＮＯ）、データ生成部６４によって生成された画像データがデータ出力部６５によって出力され（ステップＳ１９）、本処理が終了される。
【００７５】
一方、次の原稿ＭＳがある場合（ステップＳ１８：ＹＥＳ）、その処理が前述したステップＳ１１に移行され、次の原稿ＭＳの搬送が開始される。すなわち、前回の画像の読み取り途中で特定用ボタン５１Ａが変更された場合、今回の画像の読み取り時から原稿ＭＳの搬送速度が変更されるものの、生成される画像モードに基づく画像の解像度は前回の画像の読み取り時と等しい解像度となる。
【００７６】
例えば、前回の画像の読み取り途中で、特定用ボタン５１Ａがオフ状態からオン状態に移行された場合、前回の画像の読み取り時には第１の読取モードが実施されたのに対し、今回の画像の読み取り時には第２の読取モードが実施される。すなわち、今回の画像の読み取りの開始時に、実施するモードが第１の読取モードから第２の読取モードに切り替えられる。
【００７７】
一方、前回の画像の読み取り途中で、特定用ボタン５１Ａがオン状態からオフ状態に移行された場合、前回の画像の読み取り時には第２の読取モードが実施されたのに対し、今回の画像の読み取り時には第１の読取モードが実施される。すなわち、第２の読取モードを選択している状況下で、第２の読取モードを終了する旨の設定情報が入力されたときには、今回の画像の読み取りの開始時に、実施するモードが第２の読取モードから第１の読取モードに切り替えられる。したがって、本実施形態の画像読取装置１１では、ユーザーによる特定用ボタン５１Ａの操作によって特定用ボタン５１Ａがオン状態からオフ状態に移行されることが、「所定の終了条件」に相当する。
【００７８】
以上、本実施形態の画像読取装置１１によれば、上記第１の実施形態における効果（１）と同等の効果に加え、以下に示す効果をさらに得ることができる。
（２）複数の原稿ＭＳの画像を連続して読み取るに際し、各原稿ＭＳのうち一の原稿が搬送されている最中に特定用ボタン５１Ａがオン状態にされた場合、一の原稿の画像の読み取りが完了するまでは、第１の読取モードの実施が継続される。すなわち、一の原稿の搬送途中では、読取モードが変更されず、同原稿の搬送速度が変更されることはない。そのため、画像の読取途中での読取モードの切り替わりに起因する制御負荷の増大を抑制することができる。
【００７９】
その後、次の原稿の画像の読み取りを行うときには、第１の読取モードではなく、第２の読取モードが実施される。すなわち、一の原稿以降の原稿の画像の読み取り時には、低速で原稿が搬送されるようになる。しかも、第２の読取モードであるため、低速で原稿が搬送されても、第１の読取モードの場合と等しい解像度の画像のデータが生成される。したがって、上記一の原稿以降の原稿の画像の読み取り時にあっては、原稿ＭＳを低速で搬送することによって同原稿ＭＳの搬送不良の発生を抑えつつも、搬送速度に依存しない画像データをユーザーに提供することができる。
【００８０】
（３）ただし、第２の読取モードでの原稿ＭＳの画像の読み取りが実施されているときに、特定用ボタン５１Ａがオン状態からオフ状態に移行されると、第２の読取モードの実施の終了条件が成立したと判定することができる。そのため、次の原稿ＭＳの画像の読み取り時にあっては、第１の読取モードが実施されることとなり、第１の読取モードによって規定されている速度で原稿ＭＳが搬送されるようになる。したがって、第２の読取モードの実施が不要となったときには、第２の読取モードから第１の読取モードに適切に切り替えることができる。
【００８１】
（第３の実施形態）
次に、画像読取装置１１を具体化した第３の実施形態を図７及び図８に従って説明する。なお、第３の実施形態では、画像の読み取り対象となる原稿ＭＳの厚みを自動で検出し、同検出結果に基づいて第２の読取モードを実施するか第１の読取モードを実施するかを判断する点が第１及び第２の各実施形態と異なっている。したがって、以下の説明においては、第１及び第２の各実施形態と相違する部分について主に説明するものとし、第１及び第２の各実施形態と同一の部材構成には同一符号を付して重複説明を省略するものとする。
【００８２】
図７を参照し、画像読取装置１１の制御装置６０について説明する。
制御装置６０は、ＣＰＵ、ＲＯＭ及びＲＡＭなどで構成されるマイクロコンピューターと、各種のドライバー回路とを備えている。こうした制御装置６０は、図７に示すように、ソフトウェア及びハードウェアのうち少なくとも一方で構成される機能部として、搬送制御部６１、モード選択部６６、データ生成部６４及びデータ出力部６５を含んでいる。
【００８３】
モード選択部６６は、重送検出センサー６１０によって検出される減衰率αに基づき、搬送されている原稿ＭＳの厚みが薄いか否かを判定している。そして、原稿ＭＳの厚みが薄くないと判定した場合、モード選択部６６は、ユーザーの要求している画像の解像度に応じた第１の読取モード（図３参照）を選択し、選択した第１の読取モード（例えば、第３のモード）に関する情報を搬送制御部６１及びデータ生成部６４に出力する。一方、原稿ＭＳの厚みが薄いと判定した場合、モード選択部６６は、第２の読取モードを選択し、選択した第２の読取モードに関する情報を搬送制御部６１及びデータ生成部６４に出力する。
【００８４】
ここで、搬送されている原稿ＭＳの厚みが薄いか否かの判定方法の一例について説明する。
すなわち、重送検出センサー６１０の出力部６１１と入力部６１２との間に原稿ＭＳが位置する場合、出力部６１１から出力された音波は、原稿ＭＳを通過して入力部６１２に入力される。この際、原稿ＭＳを音波が透過するに際し、同原稿ＭＳの厚みが薄いほど音波が減衰されにくい。すなわち、音波の減衰率αに基づき、原稿ＭＳの厚みをある程度推定することができる。したがって、原稿ＭＳの厚みが薄いか否かの判断基準となる減衰率として判定減衰率αＴｈ２を設け、減衰率αが判定減衰率αＴｈ２未満であるときには、搬送している原稿ＭＳの厚みが薄いと判定するようにしている。
【００８５】
なお、厚みの薄い複数の原稿ＭＳが重なった状態で搬送されることがある。例えば、２つの原稿ＭＳが重なっている場合、重送検出センサー６１０によって検出される減衰率αは、厚みの薄くない１つの原稿ＭＳが搬送されているときの減衰率よりも大きくなる。そのため、重送検出減衰率αＴｈ１は、厚みの薄くない１つの原稿ＭＳが搬送されているときの減衰率よりも大きい値に設定されている。これにより、減衰率αが判定減衰率αＴｈ２以上であって且つ重送検出減衰率αＴｈ１未満であるときには、搬送している原稿ＭＳの厚みが薄くないと判定することができる。一方、減衰率αが重送検出減衰率αＴｈ１以上であるときには、複数の原稿ＭＳが重なった状態で搬送されていると判定することができる。
【００８６】
次に、図８に示すフローチャートを参照し、原稿ＭＳの画像の読み取りを行う際の処理手順について説明する。
図８に示すように、ユーザーによって要求されている画像の解像度に応じた第１の読取モードでの原稿ＭＳの搬送が開始される（ステップＳ３１）。そして、重送検出センサー６１０の出力部６１１と入力部６１２との間に原稿ＭＳが位置するようになると、重送検出センサー６１０によって検出されている減衰率αが判定減衰率αＴｈ２未満であるか否かが判定される（ステップＳ３２）。すなわち、ステップＳ３２では、搬送されている原稿ＭＳの厚みが薄いか否かが判定される。
【００８７】
そして、減衰率αが判定減衰率αＴｈ２未満である場合（ステップＳ３２：ＹＥＳ）、厚みの薄い原稿ＭＳが搬送されていると判定され、読取モードが第１の読取モードから第２の読取モードに切り替わる（ステップＳ３３）。これにより、原稿ＭＳの搬送速度が小さくされる。このように第２の読取モードが実施されるようになると、特定用ランプ５２Ａが点灯される。そして、処理が次のステップＳ３４に移行される。
【００８８】
ステップＳ３４において、端部検出センサー６００によって原稿ＭＳの前端が検出されたか否かが判定される。原稿ＭＳの前端が未だ検出されていない場合（ステップＳ３４：ＮＯ）、その処理が前述したステップＳ３２に移行される。一方、原稿ＭＳの前端が検出されている場合（ステップＳ３４：ＹＥＳ）、その処理が後述するステップＳ３７に移行される。すなわち、原稿ＭＳの前端が端部検出センサー６００を通過して読取装置３０の直前にまで達すると、読取モードの変更が禁止され、原稿ＭＳの搬送速度が変更されなくなる。
【００８９】
その一方で、ステップＳ３２において、減衰率αが判定減衰率αＴｈ２以上である場合（ＮＯ）、搬送されている原稿ＭＳの厚みが薄くないと判定することができるため、同減衰率αが重送検出減衰率αＴｈ１未満であるか否かが判定される（ステップＳ３５）。このステップＳ３５では、複数の原稿ＭＳが重なった状態で搬送されているか否かが判定される。そして、減衰率αが重送検出減衰率αＴｈ１未満である場合（ステップＳ３５：ＹＥＳ）、厚みの薄くない１つの原稿ＭＳが搬送されていると判定することができるため、その処理が前述したステップＳ３４に移行される。この場合、第１の読取モードで規定されている搬送速度で原稿ＭＳが搬送されつつ、読取部３１，３２によって画像が読み取られることとなる。なお、このように第１の読取モードで原稿ＭＳが搬送されている場合、特定用ランプ５２Ａが消灯されている。
【００９０】
一方、減衰率αが重送検出減衰率αＴｈ１以上である場合（ステップＳ３５：ＮＯ）、複数の原稿ＭＳが重なった状態で搬送されていると判定することができるため、画像の読み取りが中止される（ステップＳ３６）。この場合、原稿ＭＳの搬送が中止され、ユーザーインターフェース５０によってエラーがユーザーに対して報知される。その後、本処理が終了される。
【００９１】
ステップＳ３７において、搬送されている原稿ＭＳの画像の読み取りが開始される。そして、このように画像の読み取りが行われている最中で重送検出センサー６１０によって検出される減衰率αが、重送検出減衰率αＴｈ１未満であるか否かが判定される（ステップＳ３８）。減衰率αが重送検出減衰率αＴｈ１以上である場合（ステップＳ３８：ＮＯ）、複数の原稿ＭＳが重なった状態で搬送されていると判定することができるため、その処理が前述したステップＳ３６に移行される。すなわち、複数の原稿ＭＳが重なった状態で搬送されていることが検出された場合、実施されている最中の画像の読み取りが中止される。
【００９２】
一方、減衰率αが重送検出減衰率αＴｈ１未満である場合（ステップＳ３８：ＹＥＳ）、搬送されている原稿ＭＳの画像の読み取りが完了したか否かが判定される（ステップＳ３９）。画像の読み取りが未だ完了していない場合（ステップＳ３９：ＮＯ）、その処理が前述したステップＳ３８に移行され、画像の読み取りが継続される。一方、画像の読み取りが完了している場合（ステップＳ３９：ＹＥＳ）、その処理が次のステップＳ４０に移行される。
【００９３】
ステップＳ４０において、画像の読み取りを行うべき次の原稿ＭＳがあるか否かが判定される。次の原稿ＭＳがある場合（ステップＳ４０：ＹＥＳ）、その処理が前述したステップＳ３１に移行され、次の原稿ＭＳの搬送が開始される。この場合、第２の読取モードでの画像の読み取りが行われた後であっても、第１の読取モードでの原稿ＭＳの搬送が開始される。すなわち、原稿ＭＳの画像の読み取りの完了が、第２の読取モードから第１の読取モードにモードを切り替えるための「所定の終了条件」に相当する。
【００９４】
一方、次の原稿ＭＳがない場合（ステップＳ４０：ＮＯ）、データ生成部６４によって生成された画像データがデータ出力部６５によって出力され（ステップＳ４１）、本処理が終了される。
【００９５】
以上、本実施形態の画像読取装置１１によれば、以下のような効果を得ることができる。
（４）搬送装置２０によって搬送されている原稿ＭＳの厚みが薄くないときには、第１の読取モードが実施される。なお、原稿ＭＳの画像の読み取りをユーザーが画像読取装置１１に指示するに際し、生成される画像データに基づいた画像の解像度はユーザーによって選択することができる。そのため、ユーザーの所望する解像度の画像のデータである画像データをユーザーに提供することができる。
【００９６】
その一方で、搬送装置２０によって搬送されている原稿ＭＳの厚みが薄いときには、第２の読取モードが実施される。この場合、第１の読取モードの場合よりも原稿ＭＳが低速で搬送されるようになるものの、第１の読取モードの場合と等しい解像度の画像のデータが生成される。すなわち、紙ジャムなどの搬送不良を抑えつつ、原稿ＭＳの搬送速度に依存しない画像データをユーザーに提供することができる。したがって、原稿ＭＳの搬送速度が可変される場合であっても、ユーザーの所望する解像度の画像のデータを生成することができる。
【００９７】
（５）本実施形態の画像読取装置１１では、重送検出センサー６１０によって検出される音波の減衰率αが判定減衰率αＴｈ２未満であるときには、搬送している原稿ＭＳの厚みが薄いと判定することができるため、第２の読取モードを実施するようにしている。このように重送検出センサー６１０による検出結果を用いることにより、第２の読取モードを自動的に選択して実施することができる。
【００９８】
（６）複数の原稿ＭＳが重なった状態で搬送されているか否かを判定するための閾値である重送検出減衰率αＴｈ１を、判定減衰率αＴｈ２よりも大きい値に決定した。そして、この重送検出減衰率αＴｈ１を用いることにより、厚みの薄くない１つの原稿のみを搬送しているか、又は、複数の原稿が重なった状態で搬送されているかを判別することができる。そして、こうした判別結果を採用することにより、状況に応じて適切に画像読取装置１１を駆動させることができる。
【００９９】
（７）なお、重送検出センサー６１０は、搬送方向における搬送ローラー対２３と送り出しローラー対２２との間に配置されている。そのため、原稿ＭＳの先端が読取装置３０の位置に達する前に、搬送されている原稿ＭＳの厚みが薄いか否かを判定することができる。そのため、読取部３１，３２による画像の読み取りが実際に開始される前に、モードを第１の読取モードから第２の読取モードに切り替えるのか、又は、第１の読取モードを継続するのかを決定することができる。したがって、読取部３１，３２によって画像が実際に読み取られている最中に、原稿ＭＳの搬送速度を変更しなくてもよくなる。
【０１００】
（８）そして、第２の読取モードでの原稿ＭＳの搬送が終了すると、第２の読取モードの終了条件が成立するため、第１の読取モードでの原稿ＭＳの搬送が開始される。そのため、複数の原稿ＭＳの画像を連続して読み取るに際し、各原稿ＭＳの一部が厚みの薄い原稿である場合、厚みの薄い原稿の画像の読み取りを行うときにだけ、同原稿を低速で搬送することができる。したがって、厚みの薄くない原稿の画像の読み取りを行うときでも、原稿を低速で搬送する場合と比較し、画像読取装置１１のスループットの低下を抑制することができる。
【０１０１】
なお、上記各実施形態は以下のように変更してもよい。
・第３の実施形態において、重送検出センサー６１０が読取装置３０よりも搬送方向上流に配置されるのであれば、同重送検出センサー６１０を、搬送方向における送り出しローラー対２２と搬送ローラー対２３との間以外の他の位置に配置してもよい。例えば、重送検出センサー６１０を、搬送方向における読取装置３０と搬送ローラー対２３との間に配置するようにしてもよい。
【０１０２】
・搬送されている原稿ＭＳの厚みが薄いか否か、及び複数の原稿ＭＳが重なった状態で搬送されているか否かを検出可能なセンサーであれば、音波センサー以外の他のセンサーを重送検出センサーとして適用してもよい。
【０１０３】
・原稿ＭＳの搬送時に搬送モーター２６に流れる電流値は、搬送モーター２６を駆動源として回転するローラー対にかかる負荷が大きいほど大きくなる。そして、こうした負荷は、搬送されている原稿ＭＳの厚みや、重なっている原稿ＭＳの数によって変わる。そこで、第２の実施形態において、重送検出センサー６１０によって検出される減衰率αに代わり、搬送モーター２６に流れる電流値に基づいて、搬送されている原稿ＭＳの厚みが薄いか否かを判定するようにしてもよい。同様に、第１及び第２の各実施形態において、搬送モーター２６に流れる電流値に基づいて、複数の原稿ＭＳが重なった状態で搬送されているか否かを判定するようにしてもよい。
【０１０４】
・第１及び第２の各実施形態において、第２の読取モードを選択させるためのユーザー操作を、画像読取装置１１のユーザーインターフェース５０ではなく、画像読取装置１１と通信可能な外部装置で実施させるようにしてもよい。この場合、ユーザー操作に関する情報である特定の設定情報を外部装置から画像読取装置１１の制御装置６０が受信したときに、第２の読取モードが実施されることとなる。
【０１０５】
・第１及び第２の各実施形態において、第２の読取モードでの画像の読み取りが終了し、次のジョブに基づいた画像の読み取りを行うときには、特定用ボタン５１Ａをオフ状態にするとともに特定用ランプ５２Ａを消灯させ、第１の読取モードを実施するようにしてもよい。この場合、次のジョブに基づいた画像の読み取り指示が制御装置６０に入力されることが、「終了条件」に相当する。
【０１０６】
・上記各実施形態では、ユーザーによって第３のモードが選択されているときでも第２の読取モードが必要に応じて実施されるようになっているが、これに限らず、第３のモードが選択されているときには第２の読取モードを実施しないようにしてもよい。この場合、例えば、第１及び第２の各実施形態では、第３のモードが選択されている場合には、特定用ボタン５１Ａがオン状態であってもオフ状態であっても、第３のモードが実施されることとなる。また、第３の実施形態では、第３のモードが選択されている場合には、重送検出センサー６１０によって検出される音波の減衰率αが判定減衰率αＴｈ２未満であっても、第３のモードが実施されることとなる。
【０１０７】
・第１及び第２の各実施形態において、特定用ボタン５１Ａがオン状態である場合であっても、重送検出センサー６１０によって検出されている音波の減衰率αが判定減衰率αＴｈ２以上であるときには、第１の読取モードを実施するようにしてもよい。また、特定用ボタン５１Ａがオン状態であり、重送検出センサー６１０によって検出されている音波の減衰率αが判定減衰率αＴｈ２未満であるときに、第２の読取モードを実施するようにしてもよい。
【０１０８】
また、特定用ボタン５１Ａがオフ状態である場合には、重送検出センサー６１０によって検出されている音波の減衰率αが判定減衰率αＴｈ２未満であっても第１の読取モードを実施するようにしてもよい。
【０１０９】
・読取装置３０は、第１の読取部３１及び第２の読取部３２の何れか一方のみを備える構成であってもよい。
・搬送装置２０は、送出モーター２５を備えない構成であってもよい。この場合、搬送モーター２６の駆動によって送り込みローラー２１を回転させるようにしてもよい。
【０１１０】
・画像読取装置を、原稿の画像に関する画像データを生成して外部装置に出力する装置であれば、ファクシミリ装置などの他の装置に具体化してもよい。
【符号の説明】
【０１１１】
１１…画像読取装置、２０…搬送部としての搬送装置、２２１，２２２…送り出しローラーとして機能するローラー、２３…搬送ローラー対、３１，３２…読取部、６０…制御部としての制御装置、６００…音波センサーによって構成される端部検出センサー、ＭＳ…原稿、α…減衰率、αＴｈ１…重送検出減衰率、αＴｈ２…判定減衰率。
【図１】
2019135872.tif 000003
【図２】
2019135872.tif 000004
【図３】
2019135872.tif 000005
【図４】
2019135872.tif 000006
【図５】
2019135872.tif 000007
【図６】
2019135872.tif 000008
【図７】
2019135872.tif 000009
【図８】
2019135872.tif 000010
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
原稿を搬送する搬送部と、
前記搬送部によって搬送される原稿の画像を読み取る読取部と、
前記読取部で読み取った画像のデータである画像データを生成する制御部と、を備えた画像読取装置において、
ユーザーによって低速での原稿の搬送が要求されていない場合に原稿から画像を読み取る動作を、第１の読取モードとし、ユーザーによって低速での原稿の搬送が要求されている場合に原稿から画像を読み取る動作を、第２の読取モードとした場合、
前記制御部は、
前記第１の読取モードでは、要求されている解像度に対応した速度で前記搬送部によって搬送される原稿から画像を前記読取部に読み取らせ、同読取部によって読み取られた画像の画像データを生成し、
前記第２の読取モードでは、前記第１の読取モードの場合よりも低速で前記搬送部によって搬送される原稿から画像を前記読取部に読み取らせつつも、前記第１の読取モードの場合と等しい解像度の画像の画像データを生成する
ことを特徴とする画像読取装置。
【請求項２】
ユーザーインターフェースを備え、
前記制御部は、前記ユーザーインターフェースの操作によって、低速での原稿の搬送が要求された場合、前記第２の読取モードを選択する
ことを特徴とする請求項１に記載の画像読取装置。
【請求項３】
前記制御部は、前記画像読取装置と通信可能な外部装置から、低速での原稿の搬送が要求されている旨の情報を受信した場合、前記第２の読取モードを選択する
請求項１又は請求項２に記載の画像読取装置。
【請求項４】
前記制御部は、原稿から画像を読み取る動作として前記第１の読取モードを選択している場合、第１の読み取り処理又は第２の読み取り処理を実行する一方、原稿から画像を読み取る動作として前記第２の読取モードを選択している場合、前記第１の読み取り処理又は第３の読み取り処理を実行するようになっており、
前記第１の読み取り処理は、第１の搬送速度で原稿を搬送し、前記読取部による当該原稿の画像の読み取りによって第１の解像度の画像の画像データを生成する処理であり、
前記第２の読み取り処理は、前記第１の搬送速度よりも高速の第２の搬送速度で原稿を搬送し、前記読取部による当該原稿の画像の読み取りによって、前記第１の解像度よりも低い第２の解像度の画像の画像データを生成する処理であり、
前記第３の読み取り処理は、前記第２の搬送速度よりも低速の第３の搬送速度で原稿を搬送し、前記読取部による当該原稿の画像の読み取りによって前記第２の解像度の画像の画像データを生成する処理であり、
前記制御部は、
解像度として前記第２の解像度が設定されている状況下において前記第１の読取モードを選択した場合、前記第２の読み取り処理を実行し、
解像度として前記第２の解像度が設定されている状況下において前記第２の読取モードを選択した場合、前記第３の読み取り処理を実行し、
解像度として前記第１の解像度が設定されている状況下において前記第１の読取モードを選択した場合、前記第１の読み取り処理を実行し、
解像度として前記第１の解像度が設定されている状況下において前記第２の読取モードを選択した場合、前記第１の読み取り処理を実行する
ことを特徴とする請求項１に記載の画像読取装置。
【請求項５】
前記制御部は、ユーザーによって低速での原稿の搬送が要求されている場合、前記原稿の画像の読み取りを行う際、当該原稿の画像の読み取りが完了するまで前記第２の読取モードを選択する状態を維持する
ことを特徴とする請求項１〜請求項４のうち何れか一項に記載の画像読取装置。
【請求項６】
前記第３の搬送速度は、前記第１の搬送速度と等しい
ことを特徴とする請求項４に記載の画像読取装置。
【請求項７】
ユーザーインターフェースを備え、
前記ユーザーインターフェースは、前記第１の読み取り処理と前記第２の読み取り処理とのうちの何れか一方を選択可能に構成されており、
前記制御部は、ユーザーによって低速での原稿の搬送が要求されている場合、前記ユーザーインターフェースの操作によって前記第１の読み取り処理が選択されているときには当該第１の読み取り処理を実行する一方、前記ユーザーインターフェースの操作によって前記第２の読み取り処理が選択されているときには前記第３の読み取り処理を実行する
ことを特徴とする請求項４又は請求項６に記載の画像読取装置。
【請求項８】
前記画像読取装置と通信可能な外部装置で、前記第１の読み取り処理と前記第２の読み取り処理とのうちの何れか一方を選択することが可能であり、
前記制御部は、ユーザーによって低速での原稿の搬送が要求されている場合、前記外部装置から前記第１の読み取り処理が選択された旨の情報を受信したときには当該第１の読み取り処理を実行する一方、前記外部装置から前記第２の読み取り処理が選択された旨の情報を受信したときには前記第３の読み取り処理を実行する
ことを特徴とする請求項４又は請求項６に記載の画像読取装置。
【請求項９】
前記制御部は、原稿から画像を読み取る動作として前記第１の読取モードを選択している場合、第１の読み取り処理又は第２の読み取り処理を実行する一方、原稿から画像を読み取る動作として前記第２の読取モードを選択している場合、前記第１の読み取り処理又は第３の読み取り処理を実行するようになっており、
前記第１の読み取り処理は、第１の搬送速度で原稿を搬送し、前記読取部による当該原稿の画像の読み取りによって第１の解像度の画像の画像データを生成する処理であり、
前記第２の読み取り処理は、前記第１の搬送速度よりも高速の第２の搬送速度で原稿を搬送し、前記読取部による当該原稿の画像の読み取りによって、前記第１の解像度よりも低い第２の解像度の画像の画像データを生成する処理であり、
前記第３の読み取り処理は、前記第２の搬送速度よりも低速の第３の搬送速度で原稿を搬送し、前記読取部による当該原稿の画像の読み取りによって前記第２の解像度の画像の画像データを生成する処理であり、
前記制御部は、
前記第２の解像度の画像の画像データの生成が要求されている状況下において、ユーザーによって低速での原稿の搬送が要求されていない場合、前記第２の読み取り処理を実行し、
前記第２の解像度の画像の画像データの生成が要求されている状況下において、ユーザーによって低速での原稿の搬送が要求されている場合、前記第３の読み取り処理を実行する
ことを特徴とする請求項１に記載の画像読取装置。